(57)【要約】【課題】  プレイリストを参照して複数の画像についてのスライドショーを再生する際に、一時停止した位置からスライドショーを再開できるようにする。【解決手段】  メディアドライブ１３にメディアを挿入して、メディアに記録されたプレイリストを不揮発性メモリ２７に記録する。プレイリストを参照してメディアに記録された複数の画像データを連続して再生するスライドショーを再生する。スライドショーが一時停止されると、その位置を再開位置としてプレイリストに設定する。スライドショーを再開する際には、プレイリストに設定された再開位置を参照して、その位置からスライドショーを再開する。【選択図】          図１
2005341391.tif 000002
【特許請求の範囲】
【請求項１】
複数の画像データを連続して再生する際の再生形態を規定するプレイリストを参照して、前記複数の画像データを連続して再生することによりスライドショーを再生するスライドショー再生手段と、
前記スライドショーの再生を一時停止した後に再開させるための再開位置を前記プレイリストに設定する再開位置設定手段と、
前記スライドショーの再開の指示がなされた場合に、前記プレイリストを参照して、前記再開位置から前記スライドショーを再開するスライドショー再開手段とを備えたことを特徴とする画像再生装置。
【請求項２】
前記プレイリストを記録する書き換え可能な記録手段をさらに備え、
前記再開位置設定手段は、前記記録手段に記録された前記プレイリストに前記再開位置を設定する手段であることを特徴とする請求項１記載の画像再生装置。
【請求項３】
前記スライドショーの再生が完了すると、前記記録手段に記録された前記プレイリストを削除するプレイリスト削除手段をさらに備えたことを特徴とする請求項２記載の画像再生装置。
【請求項４】
前記プレイリストが外部の記録手段に記録されてなる場合において、
前記再開位置設定手段は、前記外部の記録手段に記録された前記プレイリストに前記再開位置を設定する手段であることを特徴とする請求項１記載の画像再生装置。
【請求項５】
前記複数の画像データおよび前記プレイリストが書き換え可能な記録媒体に記録されてなる場合、
前記再開位置設定手段は、前記記録媒体に記録された前記プレイリストに前記再開位置を設定する手段であることを特徴とする請求項１記載の画像再生装置。
【請求項６】
複数の画像データを連続して再生する際の再生形態を規定するプレイリストを参照して、前記複数の画像データを連続して再生することによりスライドショーを再生し、
前記スライドショーの再生を一時停止した後に再開させるための再開位置を前記プレイリストに設定し、
前記スライドショーの再開の指示がなされた場合に、前記プレイリストを参照して、前記再開位置から前記スライドショーを再開することを特徴とする画像再生方法。
【請求項７】
複数の画像データを連続して再生する際の再生形態を規定するプレイリストを参照して、前記複数の画像データを連続して再生することによりスライドショーを再生する手順と、
前記スライドショーの再生を一時停止した後に再開させるための再開位置を前記プレイリストに設定する手順と、
前記スライドショーの再開の指示がなされた場合に、前記プレイリストを参照して、前記再開位置から前記スライドショーを再開する手順とを有することを特徴とする画像再生方法をコンピュータに実行させるためのプログラム。
【発明の詳細な説明】
【技術分野】
【０００１】
本発明は、複数の画像データを連続して再生することによりスライドショーを再生する画像再生装置および方法並びに画像再生方法をコンピュータに実行させるためのプログラムに関するものである。
【背景技術】
【０００２】
ネガフィルムやプリントに記録された画像をスキャナ等により読み取って得た画像データやデジタルカメラ等により撮影された画像データを、パソコン等の画像再生装置を用いてスライドショー形式で再生させる方法が提案されている。
【０００３】
例えば、特許文献１においては、複数の画像データの再生順序を規定する再生順序テーブルを用い、その再生順序テーブルにおいて規定された順序で上記複数の画像データを再生する方法が提案されている。
【０００４】
また、特許文献２においては、複数の音楽データと画像データを対応づけ、音楽データを予め設定された順序で再生すると同時に、その音楽データに対応づけされた画像データを再生する方法も提案されている。
【０００５】
また、上記のような画像再生装置において画像データを再生する際、その画像データにエフェクトを施し、例えば、再生画像を回転させたり、拡大・縮小したり、または２以上の画像が重なるように再生させたりする方法も提案されている。また、複数の再生画像を切り替えて再生する際、ワイプ効果を持たせたり、種々の切替速度で再生画像を切り替えたりする方法も提案されている。
【０００６】
そして、上記のようなエフェクトや、複数の画像データの再生順序や、画像データと同時に演奏される音楽データの種類等の再生形態をプレイリストとして規定し、このプレイリストと複数の画像データとを用いてスライドショー形式で画像データを再生する方法が提案されている。
【０００７】
一方、動画像を再生中に一時停止した場合に、動画像の停止した場所を記憶しておき、動画像の再開時には記憶した場所から動画像を再生するようにした動画像再生システムが提案されている（特許文献３参照）
【特許文献１】特開２００１−１０３４１５号公報
【特許文献２】特開２００３−３０３４８８号公報
【特許文献３】特開平９−２１４８７３号公報
【発明の開示】
【発明が解決しようとする課題】
【０００８】
上述したようにプレイリストを参照してスライドショーを再生する場合、再生の途中でスライドショーを一時停止する場合がある。このような場合、動画像であれば上記特許文献３に記載された手法を用いることにより、一時停止した場所から再生を再開することが可能である。また、早送りして一時停止した位置を探すことも可能である。しかしながら、プレイリストを参照してスライドショーを再生する場合には、一時停止した場所からスライドショーを再開したり、スライドショーを早送りすることができないため、スライドショーの先頭から一時停止した位置まで、一度見たことのある画像を再度見続ける必要がある。
【０００９】
本発明は上記事情に鑑みなされたものであり、プレイリストを参照して複数の画像についてのスライドショーを再生する際に、一時停止した位置からスライドショーを再開できるようにすることを目的とする。
【課題を解決するための手段】
【００１０】
本発明による画像再生装置は、複数の画像データを連続して再生する際の再生形態を規定するプレイリストを参照して、前記複数の画像データを連続して再生することによりスライドショーを再生するスライドショー再生手段と、
前記スライドショーの再生を一時停止した後に再開させるための再開位置を前記プレイリストに設定する再開位置設定手段と、
前記スライドショーの再開の指示がなされた場合に、前記プレイリストを参照して、前記再開位置から前記スライドショーを再開するスライドショー再開手段とを備えたことを特徴とするものである。
【００１１】
「再開位置」としては、スライドショーの一時停止時に表示されていた画像の位置のみならず、その画像を基準として１コマから数コマ前の画像が表示される位置を再開位置として設定してもよい。また、スライドショーを一定の画像数（例えば１０）により区切ることによって、スライドショーにチャプターを設定している場合には、一時停止時に表示されていた画像を含むチャプターを最初から再生するように再開位置を設定してもよい。
【００１２】
なお、本発明による画像再生装置においては、前記プレイリストを記録する書き換え可能な記録手段をさらに備えるものとし、
前記再開位置設定手段を、前記記録手段に記録された前記プレイリストに前記再開位置を設定する手段としてもよい。
【００１３】
この場合、前記スライドショーの再生が完了すると、前記記録手段に記録された前記プレイリストを削除するプレイリスト削除手段をさらに備えるものとしてもよい。
【００１４】
また、本発明による画像再生装置においては、前記プレイリストが外部の記録手段に記録されてなる場合において、
前記再開位置設定手段を、前記外部の記録手段に記録された前記プレイリストに前記再開位置を設定する手段としてもよい。
【００１５】
また、本発明による画像再生装置においては、前記複数の画像データおよび前記プレイリストが書き換え可能な記録媒体に記録されてなる場合、
前記再開位置設定手段を、前記記録媒体に記録された前記プレイリストに前記再開位置を設定する手段としてもよい。
【００１６】
本発明による画像再生方法は、複数の画像データを連続して再生する際の再生形態を規定するプレイリストを参照して、前記複数の画像データを連続して再生することによりスライドショーを再生し、
前記スライドショーの再生を一時停止した後に再開させるための再開位置を前記プレイリストに設定し、
前記スライドショーの再開の指示がなされた場合に、前記プレイリストを参照して、前記再開位置から前記スライドショーを再開することを特徴とするものである。
【００１７】
なお、本発明による画像再生方法をコンピュータに実行させるためのプログラムとして提供してもよい。
【発明の効果】
【００１８】
本発明によれば、スライドショーの再生を一時停止した後に再開させるための再開位置がプレイリストに設定され、スライドショーの再開が指示されるとプレイリストが参照されて再開位置からスライドショーが再開される。このため、スライドショーを一時停止した場合にまた最初からスライドショーが再生されることがなくなり、その結果、スライドショーにおいて一度見たことのある画像を再度見る必要がなくなる。
【００１９】
また、書き換え可能な記録手段にプレイリストを記録して、このプレイリストに再開位置を設定することにより、複数のスライドショーについてのプレイリストを保存し、複数のスライドショーについて一時停止した位置からスライドショーを再開することができる。
【００２０】
この場合、スライドショーの再生が完了した後にプレイリストを削除することにより、とくにプレイリストが規定する再生形態が著作権を有するものである場合に、模倣が防止されることとなるため好ましい。
【００２１】
また、プレイリストを外部の記録手段に記録しておくことにより、外部の記録手段に記録されたプレイリストを参照すれば、スライドショーを見る場所が例えば居間と寝室のように異なっても、それぞれの場所から外部の記録手段に記録されたプレイリストを参照することにより、スライドショーを一時停止した位置から再開することが可能となる。
【００２２】
また、複数の画像データおよびプレイリストが書き換え可能な記録媒体に記録されている場合に、記録媒体に記録されたプレイリストに再開位置を設定することにより、その記録媒体を他の装置において再生した場合にも、一時停止した位置からスライドショーを再開することができる。
【発明を実施するための最良の形態】
【００２３】
以下、図面を参照して本発明の実施形態について説明する。図１は本発明による画像再生装置を適用したＨＤＤレコーダの構成を示す概略ブロック図である。図１に示すように、本実施形態によるＨＤＤレコーダ１は、画像データおよび録画した動画像データを保存するための複数（本実施形態においては２つ）のＨＤＤからなるＲＡＩＤ１１と、ＤＶＤ−Ｒ等の記録可能なメディアに画像データや動画像データを記録したり、メディアに記録された画像データや動画像データを読み出すメディアドライブ１３と、ＨＤＤレコーダ１全体の制御を行うとともに、画像データおよび動画像データの記録制御、通信制御、メディアに記録された複数の画像データをスライドショーとして再生する制御および表示制御等の各種制御を行うＣＰＵ１５と、スライドショーを再生するプログラム、ＣＰＵ１５の動作プログラム等のソフトウェア、各種定数が記録されている領域およびＣＰＵ１５が処理を実行する際の作業領域からなるメモリ１７と、ユーザが種々の指示をＨＤＤレコーダ１に対して行うための入力部１９とを備える。
【００２４】
また、ＨＤＤレコーダ１は、テレビ３に音声信号およびビデオ信号を出力するための信号出力端子２１と、ネットワークと接続されたネットワーク通信インターフェース２３とを備える。
【００２５】
また、ＨＤＤレコーダ１は、電源をオフとした後も各種情報を記憶しておくことが可能な不揮発性メモリ２７を有する。
【００２６】
そして、ＣＰＵ１５がスライドショー再生プログラムを実行することにより、ＣＰＵ１５がスライドショー再生手段、再開位置設定手段、スライドショー再開手段、プレイリスト削除手段として機能する。
【００２７】
本実施形態において、スライドショー再生プログラムを起動することにより、メディアに記録された複数の画像データを連続して表示するスライドショーをテレビ３に再生することができる。具体的には、画像データとともにメディアに記録された、複数の画像データの再生形態を規定するプレイリストを参照して、スライドショーを再生する。
【００２８】
ここで、プレイリストとは、複数の画像データの再生形態を規定するものであるが、具体的には、図２に示すように、画像データの再生順序と、再生する画像データのファイル名と、各画像データ１〜ｎの再生形態情報１〜ｎとをリストにして記述したデータである。そして、プレイリストは、ＣＰＵ１５が実行するスライドショー再生プログラムにより解読され、画像データがその再生形態情報に応じた再生形態で、プレイリストに規定された再生順序で再生されるよう制御信号をテレビ３に出力する。
【００２９】
また、画像データの再生形態情報とは、例えば、その画像データの解像度情報、画像切替情報、エフェクト情報等があるが、画像データを可視画像として再生する際の再生方法を規定するものであれば如何なるものでもよい。なお、画像切替情報としては、例えば、表示される画像を切り替える際の画像切替速度情報やワイプ効果の情報等があるが、画像切替に関するものであれば如何なるものでもよい。また、エフェクト情報としては、画像の合成、回転、拡大・縮小、および複数画像のレイヤー等といった情報があるが、画像の加工情報に関するものであれば如何なるものでもよい。
【００３０】
なお、本実施形態においては、スライドショーの再生時には、メディアに記録されたプレイリストを不揮発性メモリ２７にコピーして、コピーされたプレイリストを参照してスライドショーを再生する。
【００３１】
ここで、スライドショーの再生中に、ユーザによりスライドショーが一時停止される場合がある。本実施形態によるＨＤＤレコーダ１は、スライドショーが一時停止されると、一時停止された位置をスライドショーの再開位置として不揮発性メモリ２７に記録されたプレイリストに設定する。図３は再開位置が設定されたプレイリストを示す図である。図３に示すように、プレイリストにはその先頭に「再開位置：画像データ１０」と記述がなされることにより再開位置が設定される。これは、スライドショーにおいて画像データ１０の再生時に一時停止がなされたため、スライドショーを再開する際には画像データ１０から再生を始める旨を記述したものである。なお、図４に示すように、リストにおける画像データ１０の前に「再開位置」と記述することによっても、スライドショーを再開する際には画像データ１０から再生を始めることが可能である。
【００３２】
なお、スライドショーの再生中に一時停止がなされた場合、一時停止時に再生されていた画像データを基準として１コマ〜数コマ前の画像データからスライドショーを再開できるように再開位置を設定してもよい。例えば、スライドショーの一時停止時に画像データ１０が再生されていた場合には、画像データ８あるいは画像データ９からスライドショーが再開されるように再開位置を設定してもよい。
【００３３】
また、スライドショーを一定の画像数（例えば１０）により区切ることにより、スライドショーにチャプターを設定している場合には、一時停止された画像を含むチャプターを最初から再生するように再開位置を設定してもよい。
【００３４】
このように、再開位置をプレイリストに記述して再開位置を設定することにより、スライドショーを一時停止し、再度同一のメディアをメディアドライブ１３にセットしてスライドショーを再生する指示をＨＤＤレコーダ１に行うと、プレイリストに設定された再開位置からスライドショーが再開されることとなる。このため、スライドショーを一時停止した場合にまた最初からスライドショーが再生されることがなくなり、その結果、スライドショーにおいて一度見たことのある画像を再度見る必要がなくなる。
【００３５】
なお、スライドショーをすべて再生し終わると、ＣＰＵ１５はプレイリストを不揮発性メモリ２７から削除する。これにより、とくにプレイリストが規定する再生形態が著作権を有するものである場合に、模倣が防止されることとなるため好ましい。
【００３６】
ここで、メディアにはメディアＩＤが付与されているため、スライドショーのプレイリストをメディアＩＤと対応づけて不揮発性メモリ２７に記録することが好ましい。図５はメディアＩＤとプレイリストとを対応づけたテーブルを示す図である。図５に示すように、テーブルＴ０にはメディアＩＤとプレイリストとが対応づけられて記述されている。
【００３７】
この場合、メディアドライブ１３にメディアをセットすると、ＣＰＵ１５がセットしたメディアのメディアＩＤを読み出す。そして、テーブルＴ０に読み出したメディアＩＤが記述されているか否かを判定することにより、そのメディアに記録された画像データのスライドショーを本実施形態によるＨＤＤレコーダ１において再生したことがあるか否かを判定する。そして、読み出したメディアＩＤがテーブルＴ０に記述されている場合に、メディアＩＤと対応するプレイリストを参照して、プレイリストに設定された再開位置からスライドショーを再開する。なお、メディアＩＤがテーブルＴ０に記述されていない場合には、ＣＰＵ１５はそのメディアに記録されたプレイリストを不揮発性メモリ２７に記録し、これを参照してそのメディアに記録された画像データについてのスライドショーを最初から再生する。
【００３８】
なお、プレイリスト自体にＩＤを付与しておき、不揮発性メモリ２７に記録されたプレイリストのＩＤと、メディアドライブ１３に記録されたプレイリストのＩＤとを比較することにより、そのメディアに記録された画像データのスライドショーを本実施形態によるＨＤＤレコーダ１において再生したことがあるか否かを判定するようにしてもよい。
【００３９】
ここで、メディアが書き換え可能なものである場合には、画像データの再生順序や再生形態を変更することにより、メディアに記録されたプレイリストが書き換える場合がある。このような場合には、メディアＩＤやプレイリストのＩＤが一致するにもかかわらず、不揮発性メモリ２７に記録されたプレイリストの内容とメディアに記録されたプレイリストの内容とが一致しなくなる。このような場合には、メディアに記録されたプレイリストを不揮発性メモリ２７に記録することにより、新たなプレイリストを参照してまた最初からスライドショーを再生するようにすればよい。
【００４０】
また、メディアに記録されたプレイリストと、不揮発性メモリ２７に記録されたプレイリストとを比較し、不揮発性メモリ２７に記録されたプレイリストに設定された再開位置までの画像データの再生順序および再生形態が同一の場合には、メディアに記録されたプレイリストを参照して、不揮発性メモリ２７に記録されたプレイリストに設定された再開位置に対応する位置からスライドショーを再開するようにしてもよい。
【００４１】
また、上記実施形態においては、不揮発性メモリ２７にプレイリストを記録しているが、メディアが書き換え可能なものである場合には、メディアに記録されたプレイリストに再開位置を記述することにより再開位置を設定してもよい。これにより、スライドショーを他の再生装置において再生する場合にも、一時停止した位置からスライドショーを再開することができる。
【００４２】
また、上記実施形態においては、不揮発性メモリ２７にプレイリストを記録しているが、図６に示すように、ＨＤＤレコーダ１とネットワークを介して接続されたサーバ５にプレイリストを記録してもよい。このようにサーバ５にプレイリストを記録しておくことにより、例えば、ＨＤＤレコーダ１およびテレビ３が居間に設置されており、他のＨＤＤレコーダ７およびテレビ９が寝室に設置されている場合において、サーバ５に記録されたプレイリストを参照することにより居間のＨＤＤレコーダ１において再生しているスライドショーを一時停止すると、サーバ５に記録されたプレイリストに再開位置が設定される。そして、メディアをＨＤＤレコーダ１からＨＤＤレコーダ７へ移動し、サーバ５に記録されたプレイリストを参照することにより、後で寝室でスライドショーの続きを見ることが可能となる。
【００４３】
また、上記実施形態において、スライドショーを見る人に応じて異なる再開位置をプレイリストに設定してもよい。例えば、ＨＤＤレコーダ１を使用する人が、父、母および息子である場合には、そのそれぞれにＩＤ（例えば父は００１、母は００２、息子は００３）を付与しておき、スライドショーを見る際にＨＤＤレコーダ１にＩＤを入力させ、スライドショーが一時停止された場合には、図７に示すように、ＩＤと対応づけてプレイリストに再開位置を記述することにより再開位置を設定してもよい。これにより、スライドショーを見る人に応じて再開位置を設定することができることとなる。
【図面の簡単な説明】
【００４４】
【図１】本発明による画像再生装置を適用したＨＤＤレコーダの構成を示す概略ブロック図
【図２】プレイリストを説明するための図
【図３】再開位置が設定されたプレイリストを説明するための図（その１）
【図４】再開位置が設定されたプレイリストを説明するための図（その２）
【図５】メディアＩＤとプレイリストとを対応づけたテーブルを示す図
【図６】プレイリストをネットワーク接続されたサーバに記録する態様を説明するための図
【図７】再開位置が設定されたプレイリストを説明するための図（その３）
【符号の説明】
【００４５】
１，７    ＨＤＤレコーダ
３，９    テレビ
５    サーバ
１１    ＲＡＩＤ
１３    メディアドライブ
１５    ＣＰＵ
２７    不揮発性メモリ
【図１】
2005341391.tif 000003
【図２】
2005341391.tif 000004
【図３】
2005341391.tif 000005
【図４】
2005341391.tif 000006
【図５】
2005341391.tif 000007
【図６】
2005341391.tif 000008
【図７】
2005341391.tif 000009